(57)【特許請求の範囲】
【請求項１】
前後方向に延び、支点に揺動自在に支持された鍵と、
前記支点の後方でかつ前記鍵の上方に配置され、当該鍵の押鍵に伴い、前記鍵により押し上げられることによって上方に回動するハンマーとを備え、
前記鍵は、前側に配置された木製の前側部材と、
後側に配置された金属製または合成樹脂製の後側部材とを一体に有し、
当該後側部材は、前後方向に延び、前記前側部材に連結された前部と、
当該前部の後端部から下方に延びる段部と、
当該段部の下端部から後方に延びる後部とを有し、
前記ハンマーは、前記後側部材の前記後部に載置されており、
前記後側部材は、左右の側壁および底壁から断面がＵ字状に形成されており、前記底壁の上面に、前記ハンマーが載置されるとともに、押鍵に伴って下方に復帰回動する前記ハンマーが当接するクッションが取り付けられていることを特徴とする電子鍵盤楽器の鍵盤装置。
【請求項２】
前記鍵の前記前側部材および前記後側部材は、上下方向に互いに重なり合った状態で連結され、前記鍵は、当該連結された部分において、前記支点に支持されていることを特徴とする、請求項１に記載の電子鍵盤楽器の鍵盤装置。
【発明の詳細な説明】
【技術分野】
【０００１】
本発明は、電子ピアノなどの電子鍵盤楽器の鍵盤装置に関する。
【背景技術】
【０００２】
従来、この種の鍵盤装置として、例えば特許文献１に開示されたものが知られている。この鍵盤装置は、電子ピアノに適用されたものであり、棚板と、棚板に載置された複数の鍵と、各鍵に設けられたハンマーを備えている。
【０００３】
鍵は、前側部材と、その後ろ側に配置された後側部材を有しており、それらはそれぞれ前後方向に直線的に延びている。前側部材は、その後端部が後側部材に載置された状態で、後側部材にねじ止めされている。また、後側部材の後端部には、ハンマー駆動部材が取り付けられており、このハンマー駆動部材は、後側部材から後ろ斜め上方に突出している。また、鍵は、後側部材の前側部材との連結部よりも後ろ側の部分において、棚板上の支点に揺動自在に支持されている。
【０００４】
ハンマーは、鍵の後部上方に配置され、離鍵状態において後ろ下がりに延びており、その下端部において、支軸に回動自在に支持されている。また、離鍵状態において、ハンマーの下部が鍵のハンマー駆動部材に当接し、上部が左右方向に延びるハンマーレールに当接しているとともに、鍵が押鍵されるのに伴い、ハンマーは、ハンマー駆動部材によって押し上げられ、上方に回動する。
【先行技術文献】
【特許文献】
【０００５】
【特許文献１】実公昭６１−４１１１８号公報
【発明の概要】
【発明が解決しようとする課題】
【０００６】
しかし、この鍵盤装置では、鍵の後側部材が前後方向に直線的に延びており、その上方にハンマーが配置されている。このため、ハンマーの設置位置が高くなり、それに応じて電子ピアノ本体の高さも高くなる結果、電子ピアノ本体をコンパクト化することができない。また、ハンマーの設置位置が高くなることにより、ハンマーの上方のスペースに余裕がなくなるため、このスペースに配置される他の構成要素のレイアウトの自由度が低下する。
【０００７】
本発明は、以上のような課題を解決するためになされたものであり、電子鍵盤楽器本体をコンパクト化できるとともに、ハンマーの周辺に配置される他の構成要素のレイアウトの自由度を向上させることができる電子鍵盤楽器の鍵盤装置を提供することを目的とする。
【課題を解決するための手段】
【０００８】
上記の目的を達成するために、請求項１に係る発明は、前後方向に延び、支点に揺動自在に支持された鍵と、支点の後方でかつ鍵の上方に配置され、鍵の押鍵に伴い、鍵により押し上げられることによって上方に回動するハンマーとを備え、鍵は、前側に配置された木製の前側部材と、後側に配置された金属製または合成樹脂製の後側部材とを一体に有し、後側部材は、前後方向に延び、前側部材に連結された前部と、前部の後端部から下方に延びる段部と、段部の下端部から後方に延びる後部とを有し、ハンマーは、後側部材の後部に載置されており、後側部材は、左右の側壁および底壁から断面がＵ字状に形成されており、底壁の上面に、ハンマーが載置されるとともに、押鍵に伴って下方に復帰回動するハンマーが当接するクッションが取り付けられていることを特徴とする。
【０００９】
この構成によれば、鍵の後側部材の後部は、後側部材の前部の後端部から下方に延びる段部を介して後方に延びているため、段部の高さの分だけ、前部よりも低い位置に位置する。このため、後側部材の後部に載置されるハンマーの設置位置が低くなり、それに応じて電子鍵盤楽器本体の高さも低くなる結果、電子鍵盤楽器本体をコンパクト化することができる。また、ハンマーの設置位置が低くなることにより、その分、ハンマーの上方のスペースに余裕が生まれ、このスペースに配置される他の構成要素、例えば鍵盤蓋や操作パネルなどのレイアウトの自由度を向上させることができる。
【００１０】
また、鍵の前側部材は、木製であるため、アコースティックな鍵盤楽器と同様の良好な外観およびタッチ感を得ることができる。一方、鍵の後側部材は、金属製または合成樹脂製であるため、高い剛性を確保することができる。
【００１２】
また、鍵の後側部材が、Ｕ字状の断面を有し、中空状に形成されているので、後側部材ひいては鍵の剛性の確保と軽量化の両立を図ることができる。また、後側部材の底壁の上面に、ハンマーが載置されるとともに、復帰回動するハンマーが当接するクッションが取り付けられている。この構成により、ハンマーの設置位置をさらに低くすることができ、それにより、電子鍵盤楽器本体をさらにコンパクト化することができる。
【００１３】
請求項２に係る発明は、請求項１に記載の電子鍵盤楽器の鍵盤装置において、鍵の前側部材および後側部材は、上下方向に互いに重なり合った状態で連結され、鍵は、連結された部分において、支点に支持されていることを特徴とする。
【００１４】
この構成によれば、鍵は、前側部材と後側部材が重なり合った部分において、支点に支持されている。このため、鍵は、前側部材および後側部材のいずれか一方で支持されている場合と比較して、支点にしっかりと支持されるので、鍵の安定した動作を確保することができる。
【図面の簡単な説明】
【００１５】
【図１】本発明を適用した電子ピアノの鍵盤装置を、離鍵状態において示す側断面図である。
【図２】後側部材を示す側面図である。
【図３】図２の線Ａ−Ａに沿う断面図である。
【図４】図１の鍵盤装置を、押鍵状態において示す側断面図である。
【発明を実施するための形態】
【００１６】
以下、図面を参照しながら、本発明の好ましい実施形態を詳細に説明する。図１は、実施形態による電子ピアノ１の鍵盤装置２を離鍵状態において示している。同図に示すように、この鍵盤装置２は、鍵盤シャーシ３、多数の鍵１１（１つのみ図示）、アクションシャーシ２１、および多数のハンマー３１（１つのみ図示）を備えている。
【００１７】
鍵盤シャーシ３は、プレスにより打抜きおよび折曲げ加工した鉄板などを組み立てたものであり、水平な棚板（図示せず）に固定されている。また、鍵盤シャーシ３の前後方向（図１の左右方向）の中央には、多数のバランスピン４（１つのみ図示）が左右方向に並んで立設されている。
【００１８】
鍵１１は、多数の白鍵１１ａ（１つのみ図示）および黒鍵（図示せず）から成り、それぞれ、前後方向に延びている。白鍵１１ａおよび黒鍵の基本的な構成は互いに同じであるので、以下、これらを代表して、白鍵１１ａの構成を説明する。白鍵１１ａは、前側に配置された前側部材１２と、後側に配置された後側部材１５とを一体に有しており、これらはいずれも前後方向に延びている。前側部材１２は、断面が矩形の木製のものであり、その上面には合成樹脂製の鍵カバー１３が取り付けられている。前側部材１２の後部には、上下方向に貫通するバランスピン孔１２ａが形成されている。また、前側部材１２のバランスピン孔１２ａの部分を含む後端部の下部は、後側部材１５との連結部１２ｂになっている。この連結部１２ｂは、左右の側面が面取りされており、それにより、前側部材１２の他の部分よりも左右方向の幅が小さくなっている。
【００１９】
後側部材１５は、金属または合成樹脂の成形品で構成され、図２に示すように、前後方向に延びる前部１６と、この前部１６の後端部から下方に延びる段部１７と、この段部１７の下端部から後方に延びる後部１８とを有している。後部１８は、前部１６に対して後ろ下がりに若干、傾斜しており、その後端部は前部１６とほぼ平行になっている。
【００２０】
図３に示すように、後側部材１５は、左右の側壁１５ａ，１５ａおよび底壁１５ｂから、断面がＵ字状の中空状に形成されている。また、後側部材１５の後部１８の底壁１５ｂの上面には、ハンマー３１の前端部に対応する位置に第１クッション１９ａが、ハンマー３１の後述するキャプスタン３４に対応する位置に第２クッション１９ｂが取り付けられている（図２参照）。これらの第１および第２クッション１９ａ，１９ｂは、例えば、発泡ウレタンで構成されている。また、後側部材１５の前部１６の底壁１５ｂの中央には、前側部材１２のバランスピン孔１２ａに対応するバランスピン孔１６ａが形成され、その前後には取付孔１６ｂ，１６ｂが形成されている。
【００２１】
以上の構成の後側部材１５は、その前部１６に、前側部材１２の連結部１２ｂを上方から上下方向に嵌め込み、取付孔１６ｂ,１６ｂに下方から通したねじ１６ｃ，１６ｃで固定することによって、前側部材１２に連結されている（図１参照）。前述したように、前側部材１２の連結部１２ｂの左右の側面が面取りされているため、連結部１２ｂに嵌められた後側部材１５の側壁１５ａ，１５ａと前側部材１２の他の部分の側面は、互いに面一になっている。また、鍵１１は、前側部材１２および後側部材１５のバランスピン孔１２ａ，１６ａを介して、バランスピン４に揺動自在に支持されている。
【００２２】
アクションシャーシ２１は、中空状のアルミニウムの押出し成形品で構成され、すべてのハンマー３１にわたるように、左右方向に延びていて、鍵盤シャーシ３に連結されるとともに、棚板に固定されている。アクションシャーシ２１は、ハンマー３１を支持するハンマー支持部２２と、スイッチ取付部２３を一体に備えている。
【００２３】
ハンマー支持部２２の上部には、上方に開放する円弧状のハンマー支点２２ａが形成されている。また、ハンマー支点２２ａの下側には、前方に水平に突出する鍵載置部２２ｂが設けられており、この鍵載置部２２ｂは、鍵盤シャーシ３に載置されている。鍵載置部２２ｂの上面には、鍵ストッパ２４が取り付けられている。この鍵ストッパ２４は、フェルトまたは発泡ウレタンなどから成る１本の帯状のものであり、すべての鍵１１にわたるように左右方向に延びている。
【００２４】
スイッチ取付部２３は、ハンマー支持部２２の上側に配置され、斜め前上がりに延びており、その下面の前端部には、ハンマーストッパ２５が取り付けられている。このハンマーストッパ２５もまた、発泡ウレタンなどから成る１本の帯状のものであり、すべての鍵１１にわたるように左右方向に延びている。
【００２５】
ハンマー３１は、鍵１１ごとに設けられ、棒状の合成樹脂製のハンマー本体３２と、このハンマー本体３２に取り付けられた重り３３，３３（一方のみ図示）と、キャプスタン３４を備えている。ハンマー本体３２の後端部には、下方に開放する円弧状の軸穴３２ａが形成されている。ハンマー３１は、この軸穴３２ａが前述したハンマー支点２２ａに係合した状態で、アクションシャーシ２１に回動自在に支持されている。重り３３，３３は、鉄板などで構成され、ハンマー本体３２の左右の側面の前端部にそれぞれ取り付けられている。キャプスタン３４は、鍵１１に対するハンマー３１の相対的な角度を調整するためのものであり、ハンマー本体３２の軸穴３２ａよりも前側の部分に進退自在にねじ込まれている。ハンマー３１は、鍵１１の後側部材１５の後部１８の底壁１５ｂに、キャプスタン３４および第２クッション１９ｂを介して載置されている。また、ハンマー本体３２の軸穴３２ａのすぐ前側には、スイッチ押圧部３２ｂが上方に突出するように設けられている。
【００２６】
アクションシャーシ２１のスイッチ取付部２３には、鍵スイッチ４１が取り付けられている。この鍵スイッチ４１は、プリント基板から成るスイッチ基板４２と、ハンマー３１ごとに設けられたスイッチ本体４３で構成されている。また、鍵スイッチ４１は、スイッチ基板４２の後端部を、スイッチ取付部２３の基端部に形成された係合凹部２３ａに差し込んだ状態で、スペーサ４４を介し、ねじ４５，４５によって、スイッチ取付部２３に取り付けられている。離鍵状態では、スイッチ本体４３に、ハンマー３１のスイッチ押圧部３２ｂが下方から対向している。
【００２７】
次に、上記の構成の鍵盤装置の動作を、図１および図４を参照しながら説明する。図１に示す離鍵状態では、鍵１１は、その後端部において、ハンマー３１の重さによりキャプスタン３４を介して下方に押圧された状態で、鍵ストッパ２４に当接している。この離鍵状態から鍵１１が押鍵されると、鍵１１はバランスピン４を中心として、同図の反時計方向に回動する。この回動に伴い、鍵１１がキャプスタン３４を介してハンマー３１を突き上げることによって、ハンマー３１は、ハンマー支点２２ａを中心として、同図の時計方向に回動する。その後、ハンマー３１は、ハンマーストッパ２５に当接する（図４の状態）。また、ハンマー３１の回動の途中で、そのスイッチ押圧部３２ｂが鍵スイッチ４１のスイッチ本体４３を押圧することによって、鍵１１の押鍵情報が検出され、制御装置（図示せず）により、検出された押鍵情報に応じて、電子ピアノ１の発音が制御される。
【００２８】
その後、鍵１１が離鍵されると、ハンマー３１は、下方に復帰回動し、左右の側壁１５ａ，１５ａの間から後側部材１５に入り込み、クッション１９ａに当接することによって緩衝される。その後、ハンマー３１は、図１に示す離鍵状態に復帰する。
【００２９】
以上のように、本実施形態によれば、鍵１１の後側部材１５の後部１８は、前部１６の後端部から下方に延びる段部１７を介して後方に延びているため、段部１７の高さの分だけ、前部１６よりも低い位置に位置する。このため、後側部材１５の後部１８に載置されるハンマー３１の設置位置が低くなり、それに応じて電子ピアノ１の本体の高さも低くなる結果、電子ピアノ１の本体をコンパクト化することができる。また、ハンマー３１の設置位置が低くなることにより、その分、ハンマー３１の上方のスペースに余裕が生まれ、このスペースに配置される他の構成要素、例えば鍵盤蓋や操作パネル（いずれも図示せず）などのレイアウトの自由度を向上させることができる。
【００３０】
また、鍵１１の前側部材１２は、木製であるため、アコースティックな鍵盤楽器と同様の良好な外観およびタッチ感を得ることができる。一方、鍵１１の後側部材１５は、金属製または合成樹脂製であるため、高い剛性を確保することができる。
【００３１】
さらに、鍵１１の後側部材１５が、Ｕ字状の断面を有し、中空状に形成されているので、後側部材１５ひいては鍵１１の剛性の確保と軽量化の両立を図ることができる。また、後側部材１５の底壁１５ｂに、ハンマー３１が載置されるとともに、復帰回動するハンマー３１が当接するクッション１９が取り付けられている。この構成により、ハンマー３１の設置位置をさらに低くすることができ、それにより、電子ピアノ１をさらにコンパクト化することができる。
【００３２】
さらに、鍵１１は、前側部材１２と後側部材１５が重なり合った部分において、バランスピン４に支持されている。このため、鍵１１は、前側部材１２および後側部材１５のいずれか一方で支持されている場合と比較して、バランスピン４にしっかりと支持されるので、鍵１１の安定した動作を確保することができる。
【００３３】
なお、本発明は、説明した実施形態に限定されることなく、種々の態様で実施することができる。例えば、実施形態は、本発明を電子ピアノに適用した例であるが、これに限らず、電子オルガンやシンセサイザなどにも適用することができる。その他、本発明の範囲内で、細部の構成を適宜、変更することができる。
【符号の説明】
【００３４】
１  電子ピアノ（電子鍵盤楽器）
２  鍵盤装置
４  バランスピン（支点）
１１  鍵
１２  前側部材
１５  後側部材
１５ａ  側壁
１５ｂ  底壁
１６  前部
１７  段部
１８  後部
１９ａ  第１クッション（クッション）
３１  ハンマー
【図１】
0005469976.tif 000002
【図２】
0005469976.tif 000003
【図３】
0005469976.tif 000004
【図４】
0005469976.tif 000005